(57)【要約】      （修正有）【課題】媒体サイズエラーを検出した場合、続いて給紙した次の媒体のサイズが正常であると、媒体搬送機構及び印刷機構を緊急停止させることなく印刷処理を続行し得る印刷装置を提供する。【解決手段】印刷ジョブに基づき媒体を順次給紙する給紙部と、給紙した媒体上に該印刷ジョブに基づくトナー像を形成すべく媒体を搬送する搬送部と、搬送した媒体を装置外に排出させるための排出口とを備える印刷装置であって、給紙部で給紙した媒体のサイズを検出するサイズ検出部と、検出した媒体のサイズと、印刷ジョブに予め設定された媒体設定サイズとを比較し、両サイズの一致不一致を判定するサイズ正否判定部と、サイズ正否判定部で不一致と判定されると、媒体を搬送部に搬送させ排出口から排出させると共に、サイズ検出部に該次の媒体のサイズを検出させ、サイズが一致すると判定すると、サイズが不一致の媒体上に形成すべきトナー像を新たな媒体上に形成する。【選択図】図１
2012045728.tif 000002
【特許請求の範囲】
【請求項１】
印刷ジョブに基づき媒体を順次給紙する給紙部と、前記給紙部が給紙した媒体上に該印刷ジョブに基づくトナー像を形成すべく前記媒体を搬送する搬送部と、前記搬送部が搬送した媒体を装置外に排出させるための排出口とを備える印刷装置であって、
前記給紙部で給紙した媒体のサイズを検出するサイズ検出部と、
前記サイズ検出部で検出した媒体のサイズと、前記印刷ジョブに予め設定された媒体設定サイズとを比較し、両サイズの一致不一致を判定するサイズ正否判定部と、
前記サイズ正否判定部で不一致と判定されると、前記媒体を前記搬送部に搬送させ前記排出口から排出させると共に、前記給紙部が次の媒体を給紙している場合には、前記サイズ検出部に該次の媒体のサイズを検出させ、前記サイズ正否判定部が該次の媒体のサイズと前記媒体設定サイズとが一致すると判定すると、前記サイズが不一致の媒体上に形成すべきトナー像を新たな媒体上に形成すべく、前記給紙部及び前記搬送部を制御する印刷制御部とを備えることを特徴とする印刷装置。
【請求項２】
前記印刷制御部は、前記サイズ正否判定部が前記次の媒体のサイズと前記媒体設定サイズとが不一致であると判定すると、該次の媒体を前記搬送部に搬送させ、該搬送部が該媒体を前記排出口から排出すると、サイズエラー通知を表示部に表示させ、前記給紙部及び前記搬送部を停止させるべく、該給紙部及び該搬送部を制御することを特徴とする請求項１に記載の印刷装置。
【請求項３】
前記印刷制御部は、前記サイズ正否判定部が前記媒体のサイズと前記媒体設定サイズとが不一致であると判定し、前記給紙部が次の媒体を給紙していない場合には、前記搬送部が前記媒体を前記排出口から排出すると、サイズエラー通知を表示部に表示させ、前記給紙部及び前記搬送部を停止させるべく、該給紙部及び該搬送部を制御することを特徴とする請求項１に記載の印刷装置。
【請求項４】
前記印刷制御部は、前記給紙部及び前記搬送部への電源供給を遮断後、該給紙部及び前記搬送部を覆うカバーの開閉を検知すると、該給紙部及び該搬送部へ電源供給を行うことを特徴とする請求項１乃至３のいずれか１項に記載の印刷装置。
【請求項５】
前記印刷制御部は、前記サイズ正否判定部が前記媒体のサイズと前記媒体設定サイズとが不一致であると判定すると、該媒体上にサイズエラーを示すマークに基づくトナー像を形成すべく前記搬送部に該媒体を搬送させることを特徴とする請求項１に記載の印刷装置。
【発明の詳細な説明】
【技術分野】
【０００１】
本発明は、印刷ジョブに基づき媒体に対して印刷処理を行う印刷装置に関する。
【背景技術】
【０００２】
従来、この種の印刷装置として、例えば特許文献１に開示されているように、印刷ジョブに設定された指定用紙トレイに対応する用紙トレイから媒体を給紙し、該給紙された媒体のサイズと、該ジョブに設定された媒体サイズとが一致しない場合、媒体サイズエラーと判定する装置が提案されている。上記装置では、媒体サイズエラーと判定すると、エラーと判定された媒体及び該媒体に続き給紙した媒体を排出口から排出させる。そして、上記装置では、これら全ての媒体の排出を終えると、該装置が有する表示部上に媒体サイズエラーを通知するためのアラームを表示させると共に、該装置が有する媒体搬送機構及び印刷機構を緊急停止する。
【０００３】
その後、上記装置では、ユーザが上記アラーム表示を参照し、緊急停止を解除すべく媒体搬送機構及び印刷機構を覆う本体に対して開閉自在なカバーを開け、そして閉めると、センサにより該カバーの開閉を検知し、緊急停止を解除する。上記装置は、緊急停止を解除すると、用紙トレイから新たに媒体を給紙し、サイズエラーの媒体上に形成したページの画像に基づくトナー像を該給紙した媒体上に形成すべく、印刷処理を再開する。
【先行技術文献】
【特許文献】
【０００４】
【特許文献１】特開平１１−６５１８４号公報
【発明の概要】
【発明が解決しようとする課題】
【０００５】
上記したように、従来の装置では、用紙トレイ内にサイズの異なる媒体が１枚だけ混入してしまった、又は用紙トレイから複数の媒体をまとめて給紙（重送）してしまった場合において媒体サイズエラーが検出されると、サイズエラーの媒体に続けて給紙した次の媒体のサイズが正常であっても、該装置が有する媒体搬送機構及び印刷機構を緊急停止する。即ち、従来の装置では、１度（１枚）でも媒体サイズエラーを検出すると、媒体搬送機構及び印刷機構を緊急停止し、ユーザがカバーを開閉するという人為的な動作が行われないと該緊急停止を解除しないので、ユーザにとって使い勝手が悪いという問題があった。
【０００６】
以上の問題点に鑑み、本発明の目的は、媒体サイズエラーを検出した場合、サイズエラーの媒体に続いて給紙した次の媒体のサイズが正常であると、媒体搬送機構及び印刷機構を緊急停止させることなく印刷処理を続行し得る印刷装置を提供することにある。
【課題を解決するための手段】
【０００７】
本発明は、以上の点を解決するために、次の構成を採用する。
＜構成＞
本発明の印刷装置は、印刷ジョブに基づき媒体を順次給紙する給紙部と、給紙部が給紙した媒体上に該印刷ジョブに基づくトナー像を形成すべく媒体を搬送する搬送部と、搬送部が搬送した媒体を装置外に排出させるための排出口とを備える印刷装置であって、給紙部で給紙した媒体のサイズを検出するサイズ検出部と、サイズ検出部で検出した媒体のサイズと、印刷ジョブに予め設定された媒体設定サイズとを比較し、両サイズの一致不一致を判定するサイズ正否判定部と、サイズ正否判定部で不一致と判定されると、媒体を搬送部に搬送させ排出口から排出させると共に、給紙部が次の媒体を給紙している場合には、サイズ検出部に該次の媒体のサイズを検出させ、サイズ正否判定部が該次の媒体のサイズと媒体設定サイズとが一致すると判定すると、サイズが不一致の媒体上に形成すべきトナー像を新たな媒体上に形成すべく、給紙部及び搬送部を制御する印刷制御部とを備えることを特徴とする。
【発明の効果】
【０００８】
本発明によれば、サイズ正否判定部がサイズ検出部が検出した媒体のサイズと、印刷ジョブに予め設定された媒体設定サイズとを比較し、両サイズが不一致であると判定しても、給紙部が次の媒体を給紙している場合、サイズ検出部に次の媒体のサイズを検出させ、サイズ正否判定部が次の媒体のサイズと、媒体設定サイズとが一致すると判定すると、サイズが不一致の媒体上に形成すべきトナー像を新たな媒体上に形成すべく、給紙部及び搬送部を制御することができる。
【図面の簡単な説明】
【０００９】
【図１】本発明に係る実施例１の印刷装置１００の制御構成を示すブロック図である。
【図２】本発明に係る実施例１の印刷制御データ４０の構成を示す図である。
【図３】本発明に係る実施例１の印刷装置１００の概略構成図である。
【図４】本発明に係る実施例１の印刷装置１００の動作を示すフローチャート（その１）である。
【図５】本発明に係る実施例１の印刷装置１００の動作を示すフローチャート（その２）である。
【図６】本発明に係る実施例１の媒体給紙部１０９の動作を示すフローチャートである。
【図７】本発明に係る実施例１の媒体サイズ検出部１１１の動作を示すフローチャートである。
【図８】本発明に係る実施例１の媒体サイズ正否判定部１１２の動作を示すフローチャートである。
【図９】本発明に係る実施例２の印刷装置１００ａの制御構成を示すブロック図である。
【図１０】本発明に係る実施例２の印刷装置１００ａの動作を示すフローチャート（その１）である。
【図１１】本発明に係る実施例２の印刷装置１００ａの動作を示すフローチャート（その２）である。
【図１２】本発明に係る実施例２のサイズエラーマークの説明図である。
【発明を実施するための形態】
【００１０】
以下、本発明の実施形態を、図を用いて詳細に説明する。本実施例では、印刷装置が例えばプリンタの場合を例に説明を行う。また、印刷装置の運用環境については、印刷装置が例えばオフィス内に設置され、複数の上位装置（例えばユーザ端末であるＰＣ：Ｐｅｒｓｏｎａｌ  Ｃｏｍｐｕｔｅｒ等）とネットワークを介して接続されている場合を例に、説明を行う。
【実施例１】
【００１１】
＜実施例１の構成＞
図１は、本発明に係る実施例１の印刷装置１００の制御構成を示すブロック図である。
本発明の実施例１の印刷装置１００は、図１で示すように、ネットワーク２００が接続されており、該ネットワーク２００を介して図示しない複数の上位装置に接続されている。このネットワーク２００は、例えばオフィス内など限られた範囲での総合的な情報通信ネットワークであるＬＡＮ（Ｌｏｃａｌ  Ａｒｅａ  Ｎｅｔｗｏｒｋ）である。
【００１２】
図３は、本発明に係る実施例１の印刷装置１００の概略図である。
次に、図３を用いて、本発明に係る実施例１の印刷装置１００の構成について説明する。
印刷装置１００の下部には、図３に示すように、印刷に用いる媒体が積載保持されている上段に位置する第一給紙トレイ１ａと、下段に位置する第二給紙トレイ１ｂとが着脱可能に装着されている。
本実施例では、印刷装置１００は上記２つの給紙トレイを有する構成になっているが、本発明はこれに限らず、１つのみ、又は３つ以上の給紙と例を有する構成にも適用可能である。
【００１３】
第一給紙トレイ１ａの繰り出し側には、該トレイ内に積載されている媒体を上から１枚ずつ順に繰り出すための第一給紙ローラ２ａが配設されている。
第一給紙ローラ２ａは、該ローラを回転するための図示しない第一給紙モータと接続されており、該モータの回転（駆動）に伴って回転する。
そして、第一給紙ローラ２ａは、第一給紙トレイ１ａに積載されている最上部の媒体に圧接、又は離間するよう上下動可能に配設されており、後述する媒体搬送部１１０（図１参照）の制御に基づき回転し、かつ該最上部の媒体に圧接すべく下方向に移動すると、該回転に基づいて媒体を該トレイ内から繰り出す。
第一給紙ローラ２ａにより繰り出された媒体は、搬送経路Ａに給紙される。
尚、第一給紙ローラ２ａは、媒体搬送部１１０の制御に基づき最上部の媒体から離間すべく上方向に移動すると、上記第一給紙モータが回転していても、媒体の給紙を行わない。
【００１４】
第ニ給紙トレイ１ｂの繰り出し側には、該トレイ内に積載されている媒体を上から１枚ずつ順に繰り出すための第ニ給紙ローラ２ｂが配設されている。
第二給紙ローラ２ｂは、該ローラを回転するための図示しない第二給紙モータと接続されており、該モータの回転（駆動）に伴って回転する。
そして、第ニ給紙ローラ２ｂは、第ニ給紙トレイ１ｂに積載されている最上部の媒体に圧接、又は離間するよう上下動可能に配設されており、媒体搬送部１１０の制御に基づき回転し、かつ該最上部の媒体に圧接すべく下方向に移動すると、該回転に基づいて媒体を該トレイ内から繰り出す。
第ニ給紙ローラ２ｂにより繰り出された媒体は、搬送経路Ｂに給紙される。
尚、第ニ給紙ローラ２ｂは、媒体搬送部１１０の制御に基づき最上部の媒体から離間すべく上方向に移動すると、上記第ニ給紙モータが回転していても、媒体の給紙を行わない。
本実施例では、上記各給紙ローラを上下動可能な構成にしたが、これに限ることなく、例えば各給紙ローラを上下動可能にせず、上記各給紙トレイ内に最上部の媒体を該各給紙ローラに押圧するための付勢板を配設し、該付勢板を上下動可能な構成にして、該各給紙ローラに対し最上部の媒体を圧接、又は離間させてもよい。
尚、第一給紙ローラ２ａと、第二給紙ローラ２ｂと、上記第一給紙モータと、上記第二給紙モータとにより、媒体給紙機構２が構成されている。
【００１５】
搬送経路Ｂには搬送ローラ３１が配され、第ニ給紙ローラ２ｂにより給紙された媒体を該搬送経路Ｂに沿って前方（上方向）に搬送する。
尚、搬送ローラ３１は、媒体搬送機構３の構成の一部である。
【００１６】
第一給紙ローラ２ａと搬送ローラ３１の前方には、搬送経路Ｃに沿って入口センサ４が配されている。
入口センサ４は、媒体給紙機構２により媒体が給紙されたことを検知し、かつレジストローラ対５を回転駆動させるタイミングを検知するために用いるセンサである。
また、入口センサ４は、後述する媒体サイズ検出部１１１（図１参照）が給紙された媒体のサイズを検出するために、該媒体の先端及び後端の通過タイミングを検知するために用いる。
入口センサ４は、給紙された媒体の先端を検知すると、制御部１０１（図１参照）へ該媒体の通過を通知する（入口センサＯＮ）。
そして、入口センサ４は、媒体の後端を検知すると、制御部１０１へ該媒体が通過し終えたことを通知する（入口センサＯＦＦ）。
【００１７】
入口センサ４の前方にはレジストローラ対５が配されている。
このレジストローラ対５は、媒体搬送部１１０の制御に基づき回転を行い、媒体給紙機構２により給紙された媒体を搬送経路Ｄへと搬送する。
尚、レジストローラ対５は、媒体搬送機構３の構成の一部である。
【００１８】
レジストローラ対５の前方には書き出しセンサ６が配されている。
この書き出しセンサ６は、画像形成機構７が有する各画像形成ユニット７Ｋ〜７Ｃの各感光体ドラム上に形成された各色のトナー像を媒体上に形成するために、各感光ドラム上のトナー像の開始位置と、媒体の各色のトナー像の書き出し位置とを合わせるために用いるセンサである。
書き出しセンサ６は、レジストローラ対５から搬送された媒体の先端を検知すると、該媒体の通過を制御部１０１へ通知する（書き出しセンサＯＮ）。
また、書き出しセンサ６は、媒体の後端を検知すると、該媒体が通過し終えたことを制御部１０１へ通知する（書き出しセンサＯＦＦ）。
書き出しセンサ６と入口センサ４との間の搬送経路Ｃ上に沿った距離は、搬送方向における媒体の最大長より大きい。
【００１９】
画像形成ユニット７Ｋは、ブラック（Ｋ）色のトナー像を形成するための機構であり、図３に示すように、ブラック色のトナーを収容するトナー貯蔵部７１と、該トナーを感光ドラム７２の表面に供給するための供給ローラ７３と、図示しない帯電ローラと、現像ローラと、露光器と、ドラム用クリーニングブレードとから構成される。
画像形成ユニット７Ｋは、媒体搬送部１１０の制御に基づいて回転する感光ドラム７２上にトナー像を形成する。
【００２０】
画像形成ユニット７Ｙは、イエロー（Ｙ）色のトナー像を形成するための機構であり、トナー貯蔵部がイエロー色のトナーを収容することと、感光ドラム上にイエロー色のトナー像を形成することとを除き、画像形成ユニット７Ｋの構成と同じである。
【００２１】
画像形成ユニット７Ｍは、マゼンダ（Ｍ）色のトナー像を形成するための機構であり、トナー貯蔵部がマゼンダ色のトナーを収容することと、感光ドラム上にマゼンダ色のトナー像を形成することとを除き、画像形成ユニット７Ｋの構成と同じである。
【００２２】
画像形成ユニット７Ｃは、シアン（Ｃ）色のトナー像を形成するための機構であり、トナー貯蔵部がシアン色のトナーを収容することと、感光ドラム上にシアン色のトナー像を形成することとを除き、画像形成ユニット７Ｋの構成と同じである。
【００２３】
上記帯電ローラは、感光ドラム７２の表面を帯電するための機構であり、該ドラムが回転すると、媒体搬送部１１０の制御に基づき図示しない電源部から電源を供給され、該ドラムの表面を帯電させる。
【００２４】
上記露光器は、ＬＥＤ（Ｌｉｇｈｔ  Ｅｍｉｔｔｉｎｇ  Ｄｉｏｄｅ）アレイを配列して成り、媒体搬送部１１０の制御に基づいて発光し、帯電する感光ドラム７２の表面に画像データ記憶部１０６（図１参照）に記憶された後述する画像データに基づいた静電潜像を形成する。
ここで、上記露光器は、媒体搬送部１１０により予め設定された分割数に分割（例えば４分割等）された画像データ（分割画像データ）を受ける毎に、該分割画像データに基づく静電潜像を感光ドラム７２の表面に順次形成する。
【００２５】
感光ドラム７２の表面に各分割画像データに基づく静電潜像が形成されると、トナー貯蔵部７１から供給されたブラック色のトナーは、媒体搬送部１１０の制御により、供給ローラ７３を介して上記現像ローラの表面に付着し、その後、図示しない層形成ブレードにより均一の厚さに形成され、該ドラム上の静電潜像に現像される。これにより、感光ドラム７２の表面には、静電潜像に応じたブラック色の現像剤像であるトナー像が形成される。
【００２６】
同様に、画像形成ユニット７Ｙ、７Ｍ、７Ｃにおける画像形成処理により、各画像形成ユニットが有する各感光ドラムの表面には、静電潜像に応じたイエロー色、マゼンダ色、シアン色の各トナー像が形成される。
【００２７】
各画像形成ユニット７Ｋ〜７Ｃの各感光ドラムと対向する位置には、画像転写機構８が有する各転写ローラ８１Ｋ〜８１Ｃが配されている。
この画像転写機構８は、各画像形成ユニット７Ｋ〜７Ｃの各感光ドラム上に形成された各色のトナー像を媒体上に転写するための機構である。
画像転写機構８は、図３に示すように、各転写ローラ８１Ｋ、８１Ｙ、８１Ｍ、８１Ｃと、転写ベルト８２と、ベルト駆動ローラ８３と、従動ローラ８４とから構成されている。
転写ベルト８２は、継目なしのエンドレス状に形成され、図３に示すように、ベルト駆動ローラ８３及び従動ローラ８４に張架される。
この転写ベルト８２は、外周面上部を各画像形成ユニット７Ｋ〜７Ｃの各感光ドラムの表面に当接した状態で、ベルト駆動ローラ８３の駆動により回転走行し、各画像形成ユニット７Ｋ〜７Ｃに媒体を搬送する。
尚、転写ベルト８２と、ベルト駆動ローラ８３と、従動ローラ８４とは、媒体搬送機構３を構成する一部である。
【００２８】
画像形成機構７、画像転写機構８は、媒体搬送部１１０の制御により、同期して駆動される。
転写ベルト８２上に静電吸着され、該ベルトの回転走行に伴い搬送される媒体は、先ず、画像形成ユニット７Ｋの感光ドラム７２及び転写ローラ８１Ｋ間に搬送される。その際、転写ローラ８１Ｋには媒体搬送部１１０の制御により転写電圧が印加され、感光ドラム７２の表面に形成されたブラック色のトナー像が、媒体の表面に転写される。
ブラック色のトナー像が転写された媒体は、その後、順次各画像形成ユニット７Ｙ、７Ｍ、７Ｃの各感光ドラム及び各転写ローラ８１Ｙ、８１Ｍ、８１Ｃ間に搬送され、イエロー色、マゼンダ色、シアン色の各トナー像が順次媒体の表面に転写される。全色のトナー像が転写された媒体は、転写ベルト８２の走行に伴い、更に画像定着機構９へと搬送される。
【００２９】
画像形成ユニット７Ｋには、感光ドラム７２の表面に形成されたトナー像が媒体上に転写された後、該ドラム上に残った転写残トナーを掻き取り除去するための図示しないドラム用クリーニングブレードが備えられている。
また、画像形成ユニット７Ｋには、上記ドラムクリーニングブレードで掻き取られた転写残トナーを回収するための図示しない廃トナー収容室が備えられている。
同様に、他の画像形成ユニット７Ｙ、７Ｍ、７Ｃには、上記ドラム用クリーニングブレード及び廃トナー収容室が備えられている。
【００３０】
転写ベルト８２の媒体の搬送方向下流側には、図３に示すように、画像定着機構９が配設されている。
画像定着機構９は、媒体上に転写されたトナー像を該媒体に定着するための機構であり、加熱ローラ９１と、該加熱ローラ９１と圧接して配設される加圧ローラ９２とから構成される。
この加熱ローラ９１は、ローラ内に該加熱ローラ９１を加熱するための図示しないヒータを有する。
上記ヒータは、媒体搬送部１１０により加熱温度が制御される。
画像定着機構９により媒体上に形成されたトナー像を定着処理された媒体は、搬送経路Ｅ方向へと搬送される。
尚、加熱ローラ９１と、加圧ローラ９２とは、媒体搬送機構３の構成の一部である。
【００３１】
画像定着機構９の下流側には、排出センサ１０が配されている。
排出センサ１０は、排出機構１１へ向けて媒体が搬送されていることを検知するために用いるセンサであり、媒体の先端を検知すると、制御部１０１へ通知する（排出センサＯＮ）。
また、排出センサ１０は、媒体の後端を検知すると、該媒体の排出が完了したことを制御部１０１へ通知する（排出センサＯＦＦ）。
【００３２】
排出センサ１０の下流側には、排出機構１１が設けられている。排出機構１１は、図３に示すように、排出ローラ対１１ａと、排出ローラ対１１ｂと、排出口１１ｃとを有し、媒体を装置外の排出スタッカ１２に排出するために用いられる。
尚、排出ローラ対１１ａと、排出ローラ対１１ｂとは、媒体搬送機構３の構成の一部である。
【００３３】
次に、印刷装置１００の制御構成について、図１を用いて説明する。
印刷装置１００は、図１に示すように、装置全体を制御する制御部１０１と、ネットワーク２００を介して接続する図示しない複数の上位装置と通信するためのＩ／Ｆ部１０２と、印刷制御データ生成部１０３と、記憶部１０４と、画像データ生成部１０５と、画像データ記憶部１０６と、入力表示部１０７と、印刷制御部１０８と、媒体給紙部１０９と、媒体搬送部１１０と、媒体サイズ検出部１１１と、媒体サイズ正否判定部１１２と、入口センサ４を含む各センサとから構成される。
【００３４】
Ｉ／Ｆ（Ｉｎｔｅｒ  Ｆａｃｅ）部１０２は、ネットワーク２００を介して図示しない複数の上位装置とデータの送受信を行い、かつ受信した各データの解析を行う部分である。
即ち、Ｉ／Ｆ部１０２は、上位装置から印刷要求コマンドを受信すると、該コマンドを解析し、該コマンドの主要素である「印刷データ」と、該コマンドのヘッダに付与されている「印刷サイズ」、「使用トレイ（名）」、「印刷ページ総数」を取得する。
「印刷データ」は、上位装置においてユーザが作成した文書や図形等を含むデータである。
「印刷サイズ」は、「印刷データのサイズ」であり、印刷処理に使用すべき媒体のサイズに該当する。この「印刷サイズ」は、例えばＡ４（２１０×２９７ｍｍ）やＢ４（２５７×３６４ｍｍ）等の値である。
「使用トレイ（名）」は、印刷処理に使用する給紙トレイの識別情報、例えば「第一給紙トレイ」や「第二給紙トレイ」等の値である。
「印刷ページ総数」は、「印刷データ」のページ総数である。
尚、印刷要求コマンドについては、上位装置に予め設定された印刷装置１００のプリンタドライバにより、各ユーザが上位装置から該コマンドに含まれる各種設定を行い、かつ印刷装置１００へ該コマンドを送信することが可能である。
【００３５】
Ｉ／Ｆ部１０２が印刷要求コマンドから上記各データを取得すると、制御部１０１は、印刷制御データ生成部１０３に上記「印刷サイズ」、「使用トレイ（名）」、「印刷ページ総数」を転送すると共に、画像データ生成部１０５に上記「印刷データ」を転送する。
また、Ｉ／Ｆ部１０２は、制御部１０１の制御に基づき、該当する上位装置に対し印刷要求コマンドに基づく処理（印刷処理）が完了したことを通知する。
更に、Ｉ／Ｆ部１０２は、制御部１０１の制御に基づき、該当する上位装置に対し後述する「サイズエラー通知」を含む各種エラーを通知する。
【００３６】
図２は、本発明に係る実施例１の印刷制御データ４０の構成を示す図である。
次に、印刷装置１００が上位装置から受信した印刷要求コマンドに基づく処理（印刷処理）を行うために用いる印刷制御データ４０の構成と、該データを生成する印刷制御データ生成部１０３の構成とについて説明を行う。
印刷制御データ生成部１０３は、印刷制御データ４０を生成する部分である。
印刷制御データ４０は、図２に示すように、「印刷サイズ」４１と、「使用トレイ」４２と、「印刷ページ総数」４３と、「印刷ページ番号」４４と、「サイズ測定フラグ」４５と、「パルスカウント数」４６と、「サイズエラーページ番号」４７とから構成される。
【００３７】
即ち、印刷制御データ生成部１０３は、上記した「印刷サイズ」、「使用トレイ（名）」、「印刷ページ総数」を受けると、これら各値を「印刷サイズ」４１、「使用トレイ」４２、「印刷ページ総数」４３に各々設定した初期の印刷制御データ４０を生成する。
尚、初期の印刷制御データ４０は、「印刷サイズ」４１、「使用トレイ」４２、「印刷ページ総数」４３以外の各データの値がブランク（ＮＵＬＬ）になっている。
印刷制御データ生成部１０３が印刷制御データ４０を生成すると、制御部１０１は、該データを記憶部１０４に記憶させる。
【００３８】
以下に、印刷制御データ４０に含まれる他のデータについて、説明を行う。
「印刷ページ番号」４４には、媒体給紙部１０９が給紙を終えた媒体に印刷処理すべき画像データのページ番号が設定される。
尚、各画像データには、各ページ番号が付与されている。
【００３９】
「サイズ測定フラグ」４５には、媒体サイズ検出部１１１が媒体サイズを検出中であるか否かを示すフラグ（測定中＝１、測定中ではない＝０）が設定される。このサイズ測定フラグが「１」又は「０」になるタイミングについては、媒体サイズ検出部１１１の構成説明箇所において、詳細説明を行う。
【００４０】
「パルスカウント数」４６には、媒体給紙部１０９により給紙された媒体の先端が入口センサ４に検出され、その後、該媒体の後端が入口センサ４に検出されるまでの間に、上記第一給紙モータ又は上記第二給紙モータの回転（駆動）に伴い発せられるパルス信号の回数が設定される。この「パルスカウント数」については、媒体サイズ検出部１１１の構成説明箇所において、詳細説明を行う。
【００４１】
「サイズエラーページ番号」４７には、媒体サイズ正否判定部１１２が「サイズエラー」と判定した場合において、サイズエラーの媒体に印刷された画像データのページ番号が設定される。このサイズエラーページ番号については、媒体サイズ正否判定部１１２の構成説明箇所において、詳細説明を行う。
【００４２】
記憶部１０４は、各種データを一時的に記憶するための部分であり、揮発性メモリから構成される。
この記憶部１０４は、図１に示すように、上記した印刷制御データ４０を記憶する。
【００４３】
画像データ生成部１０５は、制御部１０１から受信した「印刷データ」を各ページ毎にラスタライズ変換して印刷処理可能な各ページの画像データを生成する部分である。
そして、画像データ生成部１０５が各ページの画像データを順次生成する毎に、制御部１０１は、生成した各ページの画像データを画像データ記憶部１０６に順次記憶させる。
尚、各ページの画像データには、各ページの印刷データに付与されている各ページ番号がそのまま付与される。
【００４４】
画像データ記憶部１０６は、制御部１０１の制御に基づき、画像データ生成部１０５で生成された画像データを記憶するための部分であり、ＨＤＤ（Ｈａｒｄ  Ｄｉｓｋ  Ｄｒｉｖｅ）から構成される。
【００４５】
印刷制御データ生成部１０３が初期の印刷制御データ４０を生成し、かつ画像データ記憶部１０６に少なくとも１ページ分の画像データが記憶されると、制御部１０１は、印刷制御部１０８に印刷開始を指示する。
【００４６】
入力表示部１０７は、図示しない各種画面（サイズエラー通知画面も含む）を表示し、かつ各種設定を入力するためのタッチパネルディスプレイ、０〜９までの各数字に対応するボタン群、「スタート」ボタン、「キャンセル」ボタン等から構成される。
【００４７】
印刷制御部１０８は、媒体給紙部１０９に給紙処理をさせ、媒体搬送部１１０に印刷処理、又は測定処理をさせるべく、これら各部を制御する部分である。
即ち、印刷制御部１０８は、上記印刷開始の指示を受けると、画像データ記憶部１０６に記憶された各ページの画像データをページ順に順次読み出し、印刷制御データ４０の「印刷ページ番号」４４に該読み出した画像データに付与されたページ番号を設定する。
そして、印刷制御データ４０は、上記印刷制御データ４０の更新を終えると、媒体給紙部１０９に給紙を指示する。
尚、印刷制御部１０８は、媒体給紙部１０９に給紙を指示する毎に、媒体サイズ検出部１１１に媒体サイズ検出を指示する。
【００４８】
その後、印刷制御部１０８は、媒体給紙部１０９が媒体の給紙を終えると、受信したページの画像データに基づくトナー像を該媒体上に形成させるべく、媒体搬送部１１０に印刷処理を指示すると共に、各ページの画像データを転送する。
そして、印刷制御部１０８は、媒体搬送部１１０に印刷処理を指示すると、印刷制御データ４０に含まれる「印刷ページ番号」４４の値と「印刷ページ総数」４３の値とが一致するか否かを判定する。
印刷制御部１０８は、上記両値が一致しない場合には、次ページの画像データがあるので、該媒体給紙部１０９に次の媒体の給紙を指示する。
【００４９】
一方、印刷制御部１０８は、上記両値が一致する場合には、次ページの画像データが無いので、媒体給紙部１０９に対し次の媒体の給紙を指示しない。
【００５０】
その後、印刷制御部１０８は、媒体搬送部１１０が給紙した媒体への印刷処理を終えると、印刷制御データ４０に含まれる「サイズエラーページ番号」４７の値が「ＮＵＬＬ」であるか否かを判定する。
そして、印刷制御部１０８は、「サイズエラーページ番号」４７の値が「ＮＵＬＬ」であると、印刷処理を終えた媒体のサイズは正常であったので、印刷処理を継続すべく、印刷制御データ４０に含まれる「印刷ページ総数」４３に設定された値と、「印刷ページ番号」４４に設定された値とが一致するか否かを判定する。
印刷制御部１０８は、上記両値が一致する場合には、最後のページの画像データに基づく印刷処理を終えたので、制御部１０１に印刷処理の完了を通知する。制御部１０１は、「印刷処理の完了の通知」を受けると、Ｉ／Ｆ１０２部に該通知の送信を指示する。
【００５１】
一方、印刷制御部１０８は、上記両値が一致せず、かつ「印刷ページ総数４３」の値−１＝「印刷ページ番号」４４の値の場合には、媒体給紙部１０９に既に給紙を指示した次の媒体上に最後のページの画像データに基づくトナー像を形成するので、該媒体給紙部１０９に新たな給紙を指示しない。
【００５２】
また、印刷制御部１０８は、上記両値が一致せず、かつ「印刷ページ総数４３」の値−１＞「印刷ページ番号」４４の値の場合には、媒体給紙部１０９に新たな媒体の給紙を指示する。
【００５３】
一方、印刷制御部１０８は、「サイズエラーページ番号」４７の値が「ＮＵＬＬ」でないと、印刷処理を終えた媒体がサイズエラーの媒体であったので、印刷処理が継続可能か否かを判定すべく、先ず、媒体給紙部１０９が次の媒体を給紙しているか否かを判定すべく、印刷制御データ４０に含まれる「印刷ページ番号」４４に設定された値と、「印刷ページ総数」４３に設定された値とが一致するか否かを判定する。
そして、印刷制御部１０８は、上記両値が一致する場合には、最後のページの画像データに基づく印刷処理を終えたので、媒体給紙部１０９が次の媒体を給紙していないので、「サイズエラー」のために印刷処理を緊急停止すべく、媒体給紙部１０９及び媒体搬送部１１０に対し、図示しない電源部からの電源の供給を遮断する。
その後、印刷制御部１０８は、上記電源の供給を遮断すると、制御部１０１に「サイズエラーのため緊急停止」を通知する。
【００５４】
一方、印刷制御部１０８は、上記両値が一致しない場合には、媒体給紙部１０９が次の媒体を給紙しているので、該次の媒体のサイズが正常であるか否かを測定すべく、媒体搬送部１１０に次の媒体の測定処理を指示する。
【００５５】
その後、印刷制御部１０８は、媒体搬送部１１０が次の媒体の測定処理を終えると、後述する「サイズエラー」の通知を受けている場合には、次の媒体もサイズエラーであるため、「サイズエラー」のために印刷処理を緊急停止すべく、媒体給紙部１０９及び媒体搬送部１１０に対し、図示しない電源部からの電源の供給を遮断する。
そして、印刷制御部１０８は、上記電源の供給を遮断すると、制御部１０１に「サイズエラーのため緊急停止」を通知する。
【００５６】
一方、印刷制御部１０８は、上記「サイズエラー」の通知を受けていない場合には、次に給紙した媒体のサイズが正常なので、印刷処理が継続可能と判断し、サイズエラーページの画像データからの印刷処理を続行すべく、印刷制御データ４０の「印刷ページ番号」４４の値を「サイズエラーページ番号」４７に設定されたページ番号の値に設定する。
そして、印刷制御部１０８は、印刷制御データ４０の「印刷ページ番号」４４の値を更新すると、「サイズエラーページ番号」４７の値を初期化（ＮＵＬＬ）する。
これにより、印刷制御部１０８は、サイズエラーの媒体が検出されても、印刷処理を継続する。
【００５７】
その後、印刷制御部１０８は、制御部１０１から後述する「緊急停止の解除」の指示を受けると、媒体給紙部１０９及び媒体搬送部１１０に対し、図示しない電源部からの電源の供給を行い、印刷装置１００を復帰させる。
そして、印刷制御部１０８は、印刷装置１００が復帰すると、印刷制御データ４０に含まれる「印刷ページ番号」４４に設定されたページ（エラーページ）の画像データに基づく印刷処理を再開すべく、先ず、印刷制御データ４０の「印刷ページ番号」４４の値を「サイズエラーページ番号」４７に設定されたページ番号の値に設定する。
そして、印刷制御部１０８は、印刷制御データ４０の「印刷ページ番号」４４の値を更新すると、「サイズエラーページ番号」４７の値を初期化（ＮＵＬＬ）する。
印刷制御部１０８は、上記各設定値を更新すると、媒体給紙部１０９に給紙を指示する。
【００５８】
媒体給紙部１０９は、図３に示す媒体給紙機構２を制御して、第一給紙トレイ１ａ又は第二給紙トレイ１ｂに積載保持されている媒体を給紙するための部分である。
即ち、媒体給紙部１０９は、媒体給紙の指示を受けると、先ず給紙が可能（入口センサ４がＯＦＦ）であるか否かを判定する。ここで、媒体給紙部１０９は、給紙を終えた前媒体の後端が入口センサ４を通過し終えると、次の媒体の給紙を行うことができる。
そして、媒体給紙部１０９は、給紙が可能であると判定すると、上記第一給紙モータ又は上記第二給紙モータの駆動を制御して、第一給紙ローラ２ａ又は第二給紙ローラ２ｂを回転させ、第一給紙トレイ１ａ又は第二給紙トレイ１ｂに積載保持されている最上部の媒体を給紙する。
一方、媒体給紙部１０９は、給紙が不可（入口センサ４がＯＮ）であると判定すると、前回給紙した媒体の後端が入口センサ４を通過し終え、給紙が可能になるのを待つ。
そして、媒体給紙部１０９は、媒体の給紙を終えると、印刷制御部１０８に通知する。
【００５９】
媒体搬送部１１０は、上記「印刷処理の指示」と共に「各ページの画像データ」を受けると、媒体搬送機構３、画像形成機構７、画像転写機構８、画像定着機構９、排出機構１１を制御して、媒体給紙部１０９により給紙された媒体を各搬送経路に沿って搬送すると共に、該媒体上に各ページの画像データに基づくトナー像を形成し、該媒体を排出口１１ｃから排出する。
また、媒体搬送部１１０は、上記「測定処理の指示」を受けると、媒体搬送機構３のみを制御して、媒体給紙部１０９により給紙された媒体を各搬送経路に沿って搬送し、その後、該媒体を排出口１１ｃから排出する。
そして、媒体搬送部１１０は、媒体を排出口１１ｃから排出すると、「印刷処理の完了」又は「測定処理の完了」を印刷制御部１０８に通知する。
【００６０】
媒体サイズ検出部１１１は、媒体給紙部１０９が給紙した媒体のサイズを測定する部分であり、図１に示すように、パルスカウント部１１１１を有する。
即ち、媒体サイズ検出部１１１は、上記した「媒体サイズ検出の指示」を受けると、先ず、印刷制御データ４０に含まれる「パルスカウント数」４６及び「サイズ測定フラグ」４５の値を初期化「０」にする。
そして、媒体サイズ検出部１１１は、制御部１０１を介して媒体の先端の通過により入口センサ４がＯＮになったことを検知すると、該印刷制御データに含まれる「サイズ測定フラグ」４５に測定開始を示す「１」を設定する。「サイズ測定フラグ」４５に「１」が設定されると、パルスカウント部１１１１は、後述する各給紙モータが発するパルス数のカウントを開始する。
また、媒体サイズ検出部１１１は、制御部１０１を介して媒体の後端の通過により入口センサ４がＯＦＦになったことを検知すると、印刷制御データ４０に含まれる「サイズ測定フラグ」４５に測定終了を示す「０」を設定する。「サイズ測定フラグ」４５に「０」が設定されると、パルスカウント部１１１１は、パルス数のカウント処理を終了する。
【００６１】
パルスカウント部１１１１は、入口センサ４が媒体の先端を検知してから該媒体の後端を検知するための間に、媒体給紙機構２に含まれる上記第一給紙モータ又は上記第二給紙モータの駆動に基づき該モータが出力するパルス信号の数（パルス数）をカウントする部分である。
即ち、パルスカウント部１１１１は、印刷制御データ４０の「サイズ測定フラグ」４５に「１」が設定されると、媒体の給紙を行う第一給紙ローラ２ａを回転する上記第一給紙モータ又は第二給紙ローラ２ｂを回転する上記第二給紙モータの回転（駆動）に基づき出力されるパルス数をカウントし、パルス数をカウントする毎に印刷制御データ４０の「パルスカウント数」４６の値をインクリメントする。
ここで、上記給紙モータは、ステッピングモータであり、該モータを予め設定された角度分回転する毎に、１パルスの信号を出力する。この１パルス出力に対応する角度は、各モータの種類によって予め設定されている。
そして、パルスカウント部１１１１は、印刷制御データ４０の「サイズ測定フラグ」４５に「０」が設定されると、パルス数のカウント処理を終了する。
【００６２】
次に、媒体サイズ検出部１１１は、パルスカウント部１１１１がパルス数のカウント処理を終えると、該カウント部がカウントした「パルス数カウント回数」と、予め設定されている後述する「媒体の進み量」とに基づいて給紙した媒体の媒体長を算出する。
ここで、媒体給紙機構２に含まれる上記第一給紙モータ又は第二給紙モータの回転に基づき発せられるパルス信号は、いずれかの給紙モータが予め設定された角度分回転する毎に出力される。
「媒体の進み量」は、上記各パルス信号が出力される間に、上記いずれかの給紙モータが予め設定された角度分回転することで第一給紙ローラ２ａ又は第二給紙ローラ２ｂが回転し、いずれかの給紙ローラの回転に基づき給紙された媒体が進む量であり、図示しない不揮発性メモリに予め設定されている。また、「媒体の進み量」は、予め実験等により算出された値である。
即ち、媒体サイズ検出部１１１は、印刷制御データ４０に含まれる「サイズ測定フラグ」４５に「１」を設定後、「０」を設定すると、図示しない不揮発性メモリに予め設定されている上記「媒体進み量」に該データに含まれる「パルスカウント数」を乗算して給紙した媒体の「媒体長」を算出する。
そして、媒体サイズ検出部１１１は、「媒体長」を算出すると、該「媒体長」の値を媒体サイズ正否判定部１１２に転送する。
【００６３】
媒体サイズ正否判定部１１２は、媒体サイズ検出部１１１が検出した「媒体長」の値（給紙媒体のサイズ）が、指定された「印刷サイズ」として正しいか否かを判定する部分である。
即ち、媒体サイズ正否判定部１１２は、上記「媒体長」を受けると、印刷制御データ４０の「印刷サイズ」４１に設定された搬送方向に平行な媒体長と、該「媒体長」とを比較し、両媒体長の誤差が予め設定した許容範囲内（例えば指定されている媒体の長さの前後４０ｍｍ以内）であれば、「媒体サイズ一致」と判定する。
媒体サイズ正否判定部１１２は、「媒体サイズ一致」と判定すると、該判定結果を制御部１０１を介して、印刷制御部１０８に通知する。
【００６４】
一方、媒体サイズ正否判定部１１２は、上記両サイズの誤差が許容範囲外であると、「媒体サイズ不一致（サイズエラー）」と判定する。
媒体サイズ正否判定部１１２は、「サイズエラー」と判定すると、該判定結果を制御部１０１を介して、印刷制御部１０８に通知する。
【００６５】
制御部１０１は、印刷制御部１０８から上記「サイズエラーのため緊急停止」の通知を受けると、図示しない不揮発性メモリに予め設定されている「サイズエラー通知画面」を入力表示部１０７が有するディスプレイ上に表示し、かつ当該印刷要求コマンドの送信元である上位装置に対し、該通知を送信する。
上記ディスプレイ上に「サイズエラー通知画面」が表示された場合には、ユーザが従来の装置と同様に、カバーを開閉し、カバーセンサが該開閉を検知するまでは、プリンタエンジンを構成する各機構は停止したままである。
制御部１０１は、上記カバーセンサによりユーザがカバーを開閉したことを検知すると、印刷制御部１０８に「緊急停止の解除」を指示する。
【００６６】
＜実施例１の動作＞
図４は、本発明に係る実施例１の印刷装置１００の動作を示すフローチャート（その１）である。図５は、本発明に係る実施例１の印刷装置１００の動作を示すフローチャート（その２）である。
次に、印刷装置１００の動作について、図４及び図５を用いて詳細に説明を行う。
【００６７】
Ｉ／Ｆ部１０２は、上位装置から印刷要求コマンドを受信すると（ステップＳ１０１）、該コマンドを解析し、該コマンドの主要素である「印刷データ」と、該コマンドのヘッダに付与されている「印刷サイズ（Ａ４：２１０×２９７ｍｍ）」、「使用トレイ（第一給紙トレイ）」、「印刷ページ総数（６）」を取得する（ステップＳ１０２）。
Ｉ／Ｆ部１０２が印刷要求コマンドから上記各データを取得すると、制御部１０１は、印刷制御データ生成部１０３に上記「印刷サイズ（Ａ４）」、「使用トレイ（第一給紙トレイ）」、「印刷ページ総数（６）」を転送すると共に、画像データ生成部１０５に上記「印刷データ」を転送する。
【００６８】
印刷制御データ生成部１０３は、上記した「印刷サイズ（Ａ４）」、「使用トレイ（第一給紙トレイ）」、「印刷ページ総数（６）」を受けると、これら各値を「印刷サイズ」４１、「使用トレイ」４２、「印刷ページ総数」４３に設定した初期の印刷制御データ４０を生成する（ステップＳ１０３）。
印刷制御データ生成部１０３が印刷制御データ４０を生成すると、制御部１０１は、該データを記憶部１０４に記憶させる。
【００６９】
画像データ生成部１０５は、制御部１０１から受信した「印刷データ」を各ページ毎にラスタライズ変換して印刷処理可能な各ページの画像データを生成する（ステップＳ１０４）。
そして、画像データ生成部１０５が各ページの画像データを順次生成する毎に、制御部１０１は、生成した各ページの画像データを画像データ記憶部１０６に順次記憶させる。
このとき、各ページの画像データには、各ページの印刷データに付与されている各ページ番号がそのまま付与される。
【００７０】
印刷制御データ生成部１０３が初期の印刷制御データ４０を生成し、かつ画像データ記憶部１０６に少なくとも１ページ分の画像データが記憶されると、制御部１０１は、印刷制御部１０８に印刷開始を指示する。
【００７１】
印刷制御部１０８は、上記印刷開始の指示を受けると、画像データ記憶部１０６に記憶された各ページの画像データをページ順に順次読み出し、印刷制御データ４０の「印刷ページ番号」４４に該読み出した画像データに付与されたページ番号を設定する。
そして、印刷制御データ４０は、上記印刷制御データ４０の更新を終えると、媒体給紙部１０９に給紙を指示する（ステップＳ１０５）。このとき、印刷制御部１０８は、媒体給紙部１０９に給紙を指示すると共に、媒体サイズ検出部１１１に媒体サイズ検出を指示する。
【００７２】
図６は、本発明に係る実施例１の媒体給紙部１０９の動作を示すフローチャートである。
次に、媒体給紙部１０９の動作について、図６を用いて詳細に説明を行う。
媒体給紙部１０９は、媒体給紙の指示を受けると、先ず給紙が可能（入口センサ４がＯＦＦ）であるか否かを判定する（ステップＳ２０１）。
そして、媒体給紙部１０９は、給紙が可能であると判定すると、上記第一給紙モータ又は上記第二給紙モータの駆動を制御して、第一給紙ローラ２ａ又は第二給紙ローラ２ｂを回転させ、第一給紙トレイ１ａ又は第二給紙トレイ１ｂに積載保持されている最上部の媒体を給紙する（ステップＳ２０２）。
一方、媒体給紙部１０９は、給紙が不可（入口センサ４がＯＮ）であると判定すると、前回給紙した媒体の後端が入口センサ４を通過し終え、給紙が可能になるのを待つ。
そして、媒体給紙部１０９は、媒体の給紙を終えると（ステップＳ２０３）、印刷制御部１０８に通知する（ステップＳ２０４）。
【００７３】
再び、図４及び図５を用いて印刷装置１００の動作の説明を続ける。
印刷制御部１０８は、媒体給紙部１０９が媒体の給紙を終えると（ステップＳ１０６）、受信したページの画像データに基づくトナー像を該媒体上に形成させるべく、媒体搬送部１１０に印刷処理を指示すると共に、各ページの画像データを転送する（ステップＳ１０７）。
そして、印刷制御部１０８は、媒体搬送部１１０に印刷処理を指示すると、印刷制御データ４０に含まれる「印刷ページ番号」４４の値と「印刷ページ総数」４３の値とが一致するか否かを判定する。
印刷制御部１０８は、上記両値が一致しない場合には（ステップＳ１０８）、次ページの画像データがあるので、該媒体給紙部１０９に次の媒体の給紙を指示する（ステップＳ１０９）。
【００７４】
一方、印刷制御部１０８は、上記両値が一致する場合には、次ページの画像データが無いので、媒体給紙部１０９に対し次の媒体の給紙を指示しない。
【００７５】
図７は、本発明に係る実施例１の媒体サイズ検出部１１１の動作を示すフローチャートである。
次に、媒体サイズ検出部１１１の動作について、図７を用いて詳細に説明を行う。
【００７６】
媒体サイズ検出部１１１は、上記した「媒体サイズ検出の指示」を受けると、先ず、印刷制御データ４０に含まれる「パルスカウント数」４６及び「サイズ測定フラグ」４５の値を初期化「０」にする（ステップＳ３０１）。
そして、媒体サイズ検出部１１１は、制御部１０１を介して媒体の先端の通過により入口センサ４がＯＮになったことを検知すると（ステップＳ３０２）、該印刷制御データに含まれる「サイズ測定フラグ」４５に測定開始を示す「１」を設定する（ステップＳ３０３）。「サイズ測定フラグ」４５に「１」が設定されると、パルスカウント部１１１１は、後述する各給紙モータが発するパルス数のカウントを開始する。
【００７７】
パルスカウント部１１１１は、印刷制御データ４０の「サイズ測定フラグ」４５に「１」が設定されると、媒体の給紙を行う第一給紙ローラ２ａを回転する上記第一給紙モータ又は第二給紙ローラ２ｂを回転する上記第二給紙モータの回転（駆動）に基づき出力されるパルス数をカウントし、パルス数をカウントする毎に印刷制御データ４０の「パルスカウント数」４６の値をインクリメントする（ステップＳ３０４）。
【００７８】
その後、媒体サイズ検出部１１１は、制御部１０１を介して媒体の後端の通過により入口センサ４がＯＦＦになったことを検知すると（ステップＳ３０５）、印刷制御データ４０に含まれる「サイズ測定フラグ」４５に測定終了を示す「０」を設定する（ステップＳ３０６）。
パルスカウント部１１１１は、印刷制御データ４０の「サイズ測定フラグ」４５に「０」が設定されると、パルス数のカウント処理を終了する（ステップＳ３０７）。
【００７９】
媒体サイズ検出部１１１は、印刷制御データ４０に含まれる「サイズ測定フラグ」４５に「１」を設定後、「０」を設定すると、図示しない不揮発性メモリに予め設定されている「媒体進み量」に「パルスカウント数」４６に設定された値を乗算し、給紙した媒体の「媒体長」を算出する（ステップＳ３０８）。
そして、媒体サイズ検出部１１１は、「媒体長」を算出すると、該「媒体長」の値を媒体サイズ正否判定部１１２に転送する（ステップＳ３０９）。
【００８０】
図８は、本発明に係る実施例１の媒体サイズ正否判定部１１２の動作を示すフローチャートである。
次に、媒体サイズ正否判定部１１２の動作について、図８を用いて詳細に説明を行う。
【００８１】
媒体サイズ正否判定部１１２は、上記「媒体長」を受けると（ステップＳ４０１）、印刷制御データ４０の「印刷サイズ」４１に設定された搬送方向に平行な媒体長と、該「媒体長」とを比較し、両媒体長の誤差が予め設定した許容範囲内（例えば指定されている媒体の長さの前後４０ｍｍ以内）であれば（ステップＳ４０２）、「媒体サイズ一致」と判定する（ステップＳ４０３）。
媒体サイズ正否判定部１１２は、「媒体サイズ一致」と判定すると、該判定結果を制御部１０１を介して、印刷制御部１０８に通知する。
【００８２】
一方、媒体サイズ正否判定部１１２は、上記両サイズの誤差が許容範囲外であると、「媒体サイズ不一致（サイズエラー）」と判定する（ステップＳ４０４）。
媒体サイズ正否判定部１１２は、「サイズエラー」と判定すると、該判定結果を制御部１０１を介して、印刷制御部１０８に通知する（ステップＳ４０５）。
【００８３】
再び、図４及び図５を用いて印刷装置１００の動作の説明を続ける。
媒体搬送部１１０は、上記「印刷処理の指示」と共に「各ページの画像データ」を受けると、媒体搬送機構３、画像形成機構７、画像転写機構８、画像定着機構９、排出機構１１を制御して、媒体給紙部１０９により給紙された媒体を各搬送経路に沿って搬送すると共に、該媒体上に各ページの画像データに基づくトナー像を形成し、該媒体を排出口１１ｃから排出する。
そして、媒体搬送部１１０は、媒体を排出口１１ｃから排出すると、印刷制御部１０８に「印刷処理の完了」を通知する。
【００８４】
印刷制御部１０８は、媒体搬送部１１０が給紙した媒体への印刷処理を終えると（ステップＳ１１０）、印刷制御データ４０に含まれる「サイズエラーページ番号」４７の値が「ＮＵＬＬ」であるか否かを判定する。
そして、印刷制御部１０８は、「サイズエラーページ番号」４７の値が「ＮＵＬＬ」であると（ステップＳ１１１）、印刷処理を終えた媒体のサイズは正常であったので、印刷処理を継続すべく、印刷制御データ４０に含まれる「印刷ページ総数」４３に設定された値と、「印刷ページ番号」４４に設定された値とが一致するか否かを判定する。
印刷制御部１０８は、上記両値が一致する場合には（ステップＳ１１２）、最後のページの画像データに基づく印刷処理を終えたので、制御部１０１に印刷処理の完了を通知する。制御部１０１は、「印刷処理の完了の通知」を受けると、Ｉ／Ｆ１０２部に該通知の送信を指示する。
Ｉ／Ｆ部１０２は、上記「印刷処理の完了の通知」を受けると、該当する上位装置に対し印刷要求コマンドに基づく処理（印刷処理）が完了したことを通知する。
【００８５】
一方、印刷制御部１０８は、上記両値が一致せず、かつ「印刷ページ総数４３」の値−１＝「印刷ページ番号」４４の値の場合には（ステップＳ１１３）、媒体給紙部１０９に既に給紙を指示した次の媒体上に最後のページの画像データに基づくトナー像を形成するので、該媒体給紙部１０９に新たな給紙を指示しない。
【００８６】
また、印刷制御部１０８は、上記両値が一致せず、かつ「印刷ページ総数４３」の値−１＞「印刷ページ番号」４４の値の場合には、媒体給紙部１０９に新たな媒体の給紙を指示する（ステップＳ１０５）。
【００８７】
一方、印刷制御部１０８は、「サイズエラーページ番号」４７の値が「ＮＵＬＬ」でないと、印刷処理を終えた媒体がサイズエラーの媒体であったので、印刷処理が継続可能か否かを判定すべく、先ず、媒体給紙部１０９が次の媒体を給紙しているか否かを判定すべく、印刷制御データ４０に含まれる「印刷ページ番号」４４に設定された値と、「印刷ページ総数」４３に設定された値とが一致するか否かを判定する。
そして、印刷制御部１０８は、両値が一致する場合には（ステップＳ１１４）、最後のページの画像データに基づく印刷処理を終えたので、媒体給紙部１０９が次の媒体を給紙していないので、「サイズエラー」のために印刷処理を緊急停止すべく、媒体給紙部１０９及び媒体搬送部１１０に対し、図示しない電源部からの電源の供給を遮断する（ステップＳ１１５）。
そして、印刷制御部１０８は、上記電源の供給を遮断すると、制御部１０１に「サイズエラーのため緊急停止」を通知する。
【００８８】
制御部１０１は、印刷制御部１０８から上記「サイズエラーのため緊急停止」の通知を受けると、図示しない不揮発性メモリに予め設定されている「サイズエラー通知画面」を入力表示部１０７が有するディスプレイ上に表示し、かつ当該印刷要求コマンドの送信元である上位装置に対し、該通知を送信する（ステップＳ１１６）。
上記ディスプレイ上に「サイズエラー通知画面」が表示された場合には、ユーザが従来の装置と同様に、カバーを開閉し、カバーセンサが該開閉を検知するまでは、プリンタエンジンを構成する各機構は停止したままである。
制御部１０１は、上記カバーセンサによりユーザがカバーを開閉したことを検知すると（ステップＳ１１７）、印刷制御部１０８に「緊急停止の解除」を指示する。
【００８９】
印刷制御部１０８は、「緊急停止の解除」の指示を受けると、媒体給紙部１０９及び媒体搬送部１１０に対し、図示しない電源部からの電源の供給を行い、印刷装置１００を復帰させる（ステップＳ１１８）。
そして、印刷制御部１０８は、印刷装置１００が復帰すると、印刷制御データ４０に含まれる「印刷ページ番号」４４に設定されたページ（エラーページ）の画像データに基づく印刷処理を再開すべく、先ず、印刷制御データ４０に含まれる「サイズエラーページ番号」４７の値を初期化（ＮＵＬＬ）する（ステップＳ１１９）。
印刷制御部１０８は、上記各設定値を更新すると、媒体給紙部１０９に給紙を指示する。
【００９０】
一方、印刷制御部１０８は、「印刷ページ番号」４４に設定された値と、「印刷ページ総数」４３に設定された値とが一致しない場合には、媒体給紙部１０９が次の媒体を給紙しているので、該次の媒体のサイズが正常であるか否かを測定すべく、媒体搬送部１１０に次の媒体の測定処理を指示する（ステップＳ１２０）。
【００９１】
媒体搬送部１１０は、上記「測定処理の指示」を受けると、媒体搬送機構３のみを制御して、媒体給紙部１０９により給紙された媒体を各搬送経路に沿って搬送し、その後、該媒体を排出口１１ｃから排出する。
そして、媒体搬送部１１０は、媒体を排出口１１ｃから排出すると、印刷制御部１０８に「測定処理の完了」を通知する。
【００９２】
印刷制御部１０８は、媒体搬送部１１０が次の媒体の測定処理を終えると（ステップＳ１２１）、「サイズエラー」の通知を受けている場合には（ステップＳ１２２）、次の媒体もサイズエラーであるため、印刷処理を緊急停止すべく、媒体給紙部１０９及び媒体搬送部１１０に対し、図示しない電源部からの電源の供給を遮断する（ステップＳ１１５）。
そして、印刷制御部１０８は、上記電源の供給を遮断すると、制御部１０１に「サイズエラーのため緊急停止」を通知する。
【００９３】
一方、印刷制御部１０８は、上記「サイズエラー」の通知を受けていない場合には、次に給紙した媒体のサイズが正常なので、印刷処理が継続可能と判断し、サイズエラーページの画像データからの印刷処理を続行すべく、印刷制御データ４０の「印刷ページ番号」４４の値を「サイズエラーページ番号」４７に設定されたページ番号の値に設定する（ステップＳ１１９）。
そして、印刷制御部１０８は、印刷制御データ４０の「印刷ページ番号」４４の値を更新すると、「サイズエラーページ番号」４７の値を初期化（ＮＵＬＬ）する。
これにより、印刷制御部１０８は、サイズエラーの媒体が検出されても、印刷処理を継続する。
【００９４】
＜実施例１の効果＞
本実施例１の印刷装置１００は、媒体サイズ正否判定部１１２が媒体サイズ不一致（エラー）を検出した場合、該サイズエラーの媒体に続けて給紙した次の媒体のサイズが正常であると、該サイズエラーの媒体上に形成したページの画像に基づくトナー像を該次の媒体上に形成するので、媒体給紙部１０９及び媒体搬送部１１０を緊急停止させることなく印刷処理を続行することができ、これにより、ユーザの使い勝手を向上することが可能となる。
【実施例２】
【００９５】
＜実施例２の構成＞
本発明の実施例２の印刷装置１００ａは、実施例１の印刷装置１００に対し、サイズエラーの媒体上に「サイズエラーマーク」を示すトナー像を形成する構成を追加したものである。
尚、本実施例において、実施例１と同一の構成については同一の符号で示し、これらについての詳しい説明を省略する。
【００９６】
次に、印刷装置１００ａの制御構成について、図９を用いて説明する。
印刷装置１００ａは、図９に示すように、装置全体を制御する制御部１０１ａと、Ｉ／Ｆ部１０２と、印刷制御データ生成部１０３と、記憶部１０４と、画像データ生成部１０５と、画像データ記憶部１０６と、入力表示部１０７と、印刷制御部１０８ａと、媒体給紙部１０９と、媒体搬送部１１０ａと、媒体サイズ検出部１１１と、媒体サイズ正否判定部１１２と、サイズエラーマーク記憶部１１３と、入口センサ４を含む各センサとから構成される。
【００９７】
図１２は、本発明に係る実施例２の「サイズエラーマーク」の説明図である。図１２（ａ）及び（ｂ）に、媒体上に形成したサイズエラーマークに基づくトナー像５０の一例を示す。
サイズエラーマーク記憶部１１３は、サイズエラーの媒体上に形成するトナー像のマークパターンである「サイズエラーマーク」を記憶する部分である。
以下に、図１２を用いて、「サイズエラーマーク」について詳細説明を行う。
「サイズエラーマーク」は、例えば、図１２（ａ）に示すように、「サイズエラー」であることを示す図形から成る。
また、「サイズエラーマーク」は、例えば、図１２（ｂ）に示すように、「サイズエラー」という文字から成る。
この「サイズエラーマーク」に基づくトナー像は、サイズエラーの媒体の後端に近い位置に形成される。
また、本実施例では、「サイズエラーマーク」に基づくトナー像をサイズエラーの媒体の後端近くに形成するとしたが、本発明はこれに限らず、媒体の中央部分などに形成してもよく、形成位置を限定しない。
【００９８】
媒体搬送部１１０ａは、図９に示すように、マーク制御部１１０１を有する。
媒体搬送部１１０ａは、上記「印刷処理の指示」と共に「各ページの画像データ」を受けると、上記露光器の説明箇所に記載したように、１ページ分の画像データを予め設定された分割数（例えば４分割）に分割し、複数の分割画像データを生成する。
そして、媒体搬送部１１０ａは、複数の分割画像データを生成すると、各分割画像データを各色の露光器に順次転送する。これにより、各色の露光器は、各色の感光ドラム上に各分割画像データに基づく静電潜像を順次形成する。各感光ドラム上に静電潜像が形成されると、各色のトナー貯蔵部から供給された各色のトナーは、媒体搬送部１１０の制御により各静電潜像に現像される。これにより、各色の感光ドラムの表面には、各分割画像データに基づくトナー像が順次形成される。
【００９９】
マーク制御部１１０１は、印刷制御部１０８ａから後述する「サイズエラーマーク印刷指示」を受けると、サイズエラーマーク記憶部１１３に記憶された「サイズエラーマーク」に基づくトナー像をサイズエラーの媒体上に形成すべく、媒体搬送部１１０ａを制御する部分である。
即ち、マーク制御部１１０１は、上記「サイズエラーマーク印刷指示」を受けると、媒体搬送部１１０ａによる各色の露光器への上記分割画像データの転送処理を停止させる。
そして、マーク制御部１１０１は、媒体搬送部１１０が上記転送処理を中止すると、サイズエラーマーク記憶部１１３に記憶された「サイズエラーマーク」を上記各露光器へ転送する。
これにより、上記各露光器は、各色の画像形成ユニット７Ｋ〜７Ｃが有する各感光ドラム上に「サイズエラーマーク」に基づく静電潜像を形成する。
このとき、マーク制御部１１０１は、各感光ドラムの表面に対し、例えばドラム１周のうち、決められた位置（例えば残り４分の１）にサイズエラーマークに基づく静電潜像を形成すべく制御を行う。
マーク制御部１１０１は、上記決められた位置にサイズエラーマークに基づく静電潜像を形成するために、サイズエラーの媒体の後端の入口センサ４の通過タイミングに基づいて該位置を決定する。
【０１００】
媒体搬送部１１０ａは、各色の感光ドラム上に「サイズエラーマーク」に基づく静電潜像が形成されると、各色のトナー貯蔵部から各色のトナーを供給し、該各静電潜像に現像する。これにより、各色の感光ドラムの表面には、「サイズエラーマーク」に基づくトナー像が形成される。
その後、媒体搬送部１１０ａは、媒体搬送機構３、画像形成機構７、画像転写機構８、画像定着機構９、排出機構１１を制御して、媒体給紙部１０９により給紙されたサイズエラーの媒体を各搬送経路に沿って搬送すると共に、該媒体上に各色の「サイズエラーマーク」に基づくトナー像を形成し、該媒体を排出口１１ｃから排出する。
尚、媒体搬送部１１０ａのその他の構成は、実施例１の媒体搬送部１１０の構成と同じである。
【０１０１】
次に、実施例２の印刷制御部１０８ａの構成について、実施例１の印刷制御部１０８と異なる部分についてのみ説明を行う。
印刷制御部１０８ａは、媒体搬送部１１０に印刷処理を指示すると共に、各ページの画像データを転送し、その後、媒体給紙部１０９に必要であれば次の媒体の給紙を指示すると、印刷制御データ４０に含まれる「サイズエラーページ番号」４７の値が「ＮＵＬＬ」であるか否かを判定する。
そして、印刷制御部１０８ａは、「サイズエラーページ番号」４７の値が「ＮＵＬＬ」でないと、印刷処理が開始された媒体がサイズエラーの媒体であったので、該媒体上に「サイズエラーマーク」に基づくトナー像を形成すべく、マーク制御部１１０１に「サイズエラーマークの印刷」を指示する。
【０１０２】
一方、印刷制御部１０８ａは、「サイズエラーページ番号」４７の値が「ＮＵＬＬ」であると、印刷処理が開始された媒体のサイズは正常であったので、当該印刷処理が終わるのを待つ。
【０１０３】
その後、印刷制御部１０８ａは、１ページ分の印刷処理を終えると、印刷制御データ４０に含まれる「印刷ページ総数」４３に設定された値と、「印刷ページ番号」４４に設定された値とが一致するか否かを判定する。
印刷制御部１０８ａは、上記両値が一致する場合には、最後のページの画像データに基づく印刷処理を終えたので、制御部１０１ａに印刷処理の完了を通知する。制御部１０１ａは、「印刷処理の完了の通知」を受けると、Ｉ／Ｆ１０２部に該通知の送信を指示する。
Ｉ／Ｆ部１０２は、上記「印刷処理の完了の通知」を受けると、該当する上位装置に対し印刷要求コマンドに基づく処理（印刷処理）が完了したことを通知する。
【０１０４】
一方、印刷制御部１０８ａは、上記両値が一致せず、かつ「印刷ページ総数４３」の値−１＞「印刷ページ番号」４４の値の場合には、媒体給紙部１０９に新たな媒体の給紙を指示する。
【０１０５】
また、印刷制御部１０８ａは、上記両値が一致せず、かつ「印刷ページ総数４３」の値−１＝「印刷ページ番号」４４の値の場合には、媒体給紙部１０９に既に給紙を指示した次の媒体上に最後のページの画像データに基づくトナー像を形成するので、該媒体給紙部１０９に新たな給紙を指示しない。
尚、印刷制御部１０８ａのその他の構成は、実施例１の印刷制御部１０８の構成と同じである。
【０１０６】
＜実施例２の動作＞
図１０は、本発明に係る実施例２の印刷装置１００ａの動作を示すフローチャート（その１）である。図１１は、本発明に係る実施例２の印刷装置１００ａの動作を示すフローチャート（その２）である。
次に、図１０及び図１１を用いて、実施例２の印刷装置１００ａの動作について、詳細説明を行う。
実施例２の印刷装置１００ａのステップＳ５０１〜Ｓ５０９の動作は、実施例１の印刷装置１００のステップＳ１０１〜Ｓ１０９の動作と同じである。
【０１０７】
印刷制御部１０８ａは、媒体搬送部１１０に印刷処理を指示すると共に、各ページの画像データを転送し、その後、媒体給紙部１０９に必要であれば次の媒体の給紙を指示すると、印刷制御データ４０に含まれる「サイズエラーページ番号」４７の値が「ＮＵＬＬ」であるか否かを判定する。
そして、印刷制御部１０８ａは、「サイズエラーページ番号」４７の値が「ＮＵＬＬ」であると（ステップＳ５１０）、印刷処理が開始された媒体のサイズは正常であったので、当該印刷処理が終わるのを待つ。
【０１０８】
その後、印刷制御部１０８ａは、１ページ分の印刷処理を終えると（ステップＳ５１１）、印刷制御データ４０に含まれる「印刷ページ総数」４３に設定された値と、「印刷ページ番号」４４に設定された値とが一致するか否かを判定する。
印刷制御部１０８ａは、上記両値が一致する場合には（ステップＳ５１２）、最後のページの画像データに基づく印刷処理を終えたので、制御部１０１ａに印刷処理の完了を通知する。制御部１０１ａは、「印刷処理の完了の通知」を受けると、Ｉ／Ｆ１０２部に該通知の送信を指示する。
Ｉ／Ｆ部１０２は、上記「印刷処理の完了の通知」を受けると、該当する上位装置に対し印刷要求コマンドに基づく処理（印刷処理）が完了したことを通知する。
【０１０９】
一方、印刷制御部１０８ａは、上記両値が一致せず、かつ「印刷ページ総数４３」の値−１＞「印刷ページ番号」４４の値の場合には（ステップＳ５１３）、媒体給紙部１０９に新たな媒体の給紙を指示する。
【０１１０】
また、印刷制御部１０８ａは、上記両値が一致せず、かつ「印刷ページ総数４３」の値−１＝「印刷ページ番号」４４の値の場合には、媒体給紙部１０９に既に給紙を指示した次の媒体上に最後のページの画像データに基づくトナー像を形成するので、該媒体給紙部１０９に新たな給紙を指示しない。
【０１１１】
一方、印刷制御部１０８ａは、「サイズエラーページ番号」４７の値が「ＮＵＬＬ」でないと、印刷処理が開始された媒体がサイズエラーの媒体であったので、該媒体上に「サイズエラーマーク」に基づくトナー像を形成すべく、マーク制御部１１０１に「サイズエラーマークの印刷」を指示する（ステップＳ５１４）。
【０１１２】
媒体搬送部１１０ａは、上記「印刷処理の指示」と共に「各ページの画像データ」を受けると、１ページ分の画像データを予め設定された分割数（例えば４分割）に分割し、複数の分割画像データを生成する。
そして、媒体搬送部１１０ａは、複数の分割画像データを生成すると、各分割画像データを各色の露光器に順次転送する。これにより、各色の露光器は、各色の感光ドラム上に各分割画像データに基づく静電潜像を順次形成する。各感光ドラム上に静電潜像が形成されると、各色のトナー貯蔵部から供給された各色のトナーは、媒体搬送部１１０の制御により各静電潜像に現像される。これにより、各色の感光ドラムの表面には、各分割画像データに基づくトナー像が順次形成される。
【０１１３】
マーク制御部１１０１は、上記「サイズエラーマーク印刷指示」を受けると、媒体搬送部１１０ａによる各色の露光器への上記分割画像データの転送処理を停止させる。
そして、マーク制御部１１０１は、媒体搬送部１１０が上記転送処理を中止すると、サイズエラーマーク記憶部１１３に記憶された「サイズエラーマーク」を上記各露光器へ転送する。
これにより、上記各露光器は、各色の画像形成ユニット７Ｋ〜７Ｃが有する各感光ドラム上に「サイズエラーマーク」に基づく静電潜像を形成する。
このとき、マーク制御部１１０１は、各感光ドラムの表面に対し、例えばドラム１周のうち、決められた位置（例えば残り４分の１）にサイズエラーマークに基づく静電潜像を形成すべく制御を行う。
【０１１４】
媒体搬送部１１０ａは、各色の感光ドラム上に「サイズエラーマーク」に基づく静電潜像が形成されると、各色のトナー貯蔵部から各色のトナーを供給し、該各静電潜像に現像する。これにより、各色の感光ドラムの表面には、「サイズエラーマーク」に基づくトナー像が形成される（ステップＳ５１５）。
その後、媒体搬送部１１０ａは、媒体搬送機構３、画像形成機構７、画像転写機構８、画像定着機構９、排出機構１１を制御して、媒体給紙部１０９により給紙されたサイズエラーの媒体を各搬送経路に沿って搬送すると共に、該媒体上に各色の「サイズエラーマーク」に基づくトナー像を形成し、該媒体を排出口１１ｃから排出する。
【０１１５】
実施例２の印刷装置１００ａのステップＳ５１７〜Ｓ５２５の動作は、実施例１の印刷装置１００のステップＳ１１４〜Ｓ１２２の動作と同じである。
【０１１６】
＜実施例２の効果＞
本実施例２の印刷装置１００ａは、媒体サイズ正否判定部１１２がサイズエラーと判定した媒体に対し、該媒体上への画像データに基づくトナー像の形成を中止させ、該媒体上に「サイズエラーマーク」に基づくトナー像を形成するので、排出スタッカ１２に積載された媒体の中からユーザが容易にサイズエラーの媒体を探すことができ、これにより更にユーザの使い勝手を向上させることが可能となる。
【０１１７】
尚、本実施例２では、サイズエラーの媒体上に「サイズエラーマーク」に基づくトナー像を形成する構成となっているが、これに限らずサイズエラーの媒体が規定の媒体サイズと比べて長い場合には、「媒体サイズが長いことを示すエラーマーク」に基づくトナー像を形成し、サイズエラーの媒体が規定のサイズと比べて短い場合には、「媒体サイズが短いことを示すエラーマーク」に基づくトナー像を形成する構成にしてもよい。上記構成の場合、媒体サイズ正否判定部１１２は、給紙した媒体のサイズ（媒体長）と、印刷制御データ４０に含まれる「印刷サイズ」４１に設定された搬送方向に平行な媒体長とを比較し、不一致と判定すると、媒体サイズが長くて不一致なのか、短くて不一致なのかを判定する構成を有する。また、サイズエラーマーク記憶部１１３は、「媒体サイズが長いことを示すエラーマーク」と、「媒体サイズが短いことを示すエラーマーク」とを予め記憶する。
【産業上の利用可能性】
【０１１８】
前記した実施例では、本発明をプリンタとして説明したが、これに限る必要はなく、例えばＩ／Ｆ部をファクシミリ用にＩＴＵ−Ｔ３０プロトコル手順制御機能と、モデム制御機能を有する構成に変更することで、ファクシミリ装置にも適用可能である。
また、本発明を印刷機能、プリンタ機能を有する複合機（ＭＦＰ）にも適用可能である。
【符号の説明】
【０１１９】
４  入口センサ
１００  印刷装置
１０１  制御部
１０２  Ｉ／Ｆ部
１０３  印刷制御データ生成部
１０４  記憶部
１０５  画像データ生成部
１０６  画像データ記憶部
１０７  入力表示部
１０８  印刷制御部
１０９  媒体給紙部
１１０  媒体搬送部
１１０１  マーク制御部
１１１  媒体サイズ検出部
１１１１  パルスカウント部
１１２  媒体サイズ正否判定部
１１３  サイズエラーマーク記憶部
【図１】
2012045728.tif 000003
【図２】
2012045728.tif 000004
【図３】
2012045728.tif 000005
【図４】
2012045728.tif 000006
【図５】
2012045728.tif 000007
【図６】
2012045728.tif 000008
【図７】
2012045728.tif 000009
【図８】
2012045728.tif 000010
【図９】
2012045728.tif 000011
【図１０】
2012045728.tif 000012
【図１１】
2012045728.tif 000013
【図１２】
2012045728.tif 000014